(57)【特許請求の範囲】
【請求項１】
吊床版架設工法において２つの橋台間に張設される一次ケーブルの一方の端部に設けられたマンションを一方の前記橋台に定着させるために、該一方の橋台に配置され、前記一次ケーブルの前記一方の端部が挿通される一次ケーブル外套管であって、
管軸方向に見て矩形の一次ケーブル挿通空間を有し、少なくとも、前記管軸上における所定の位置から前記橋体側の開口までの範囲で、前記一次ケーブル挿通空間の前記管軸から天井面までの高さ寸法が、前記開口に近付くにつれて連続的に大きくなるように形成され、前記一次ケーブル挿通空間を形成する天井面、底面および２つの側壁面が４枚の平鋼板で構成され、前記天井面を形成する平鋼板が前記高さ寸法の連続的な変化に対応して曲げ加工された部分を有する
一次ケーブル外套管。
【発明の詳細な説明】
【技術分野】
【０００１】
本発明は、吊床版架設工法による橋梁の施工において、一次ケーブルの橋台定着部に用いられる一次ケーブル外套管に関する。
【背景技術】
【０００２】
橋梁の施工方法として吊床版架設工法がある。吊床版架設工法では、橋台間に複数の一次ケーブルが下方へのたわみ（サグ）を生じさせた状態で互いに平行に張り渡され、これらの一次ケーブルにプレキャスト・コンクリート製の吊床版が架設される。例えば、上路式吊床版橋の場合には、一次ケーブルに架設された下床版の上にスパンドレル（ｓｐａｎｄｒｅｌ）部分の斜材や鉛直材などを介して上床版が架設され、上床版の上に路面が施工されることによって橋体が完成する。橋梁の構造によっては、下床版に橋台とは分離して二次ケーブルが配設されたり、上床版には床版ケーブルが別途配設されることもある。
【０００３】
このような橋体の荷重を受ける一次ケーブルを橋台間に張り渡すため、一次ケーブルの両端部は各々、現場打ちによる鉄筋コンクリート構造の橋台に高い強度で定着される必要がある。一次ケーブルの定着構造には、次のようなものが知られている。一次ケーブルには、端部外周にマンションと呼ばれる鋼製の管状の定着体が圧着されたものが用いられる。一次ケーブルの定着体部分を含む端部は橋台に埋設されたシースに橋体側より挿通され、橋台の端面に突出した一次ケーブル端部に座金プレートを挟んでナットを螺合し、締め付けることによって、橋台に一次ケーブル端部が締結される（特許文献１参照）。
【先行技術文献】
【特許文献】
【０００４】
【特許文献１】特開２００５−２８２１３１号公報
【発明の概要】
【発明が解決しようとする課題】
【０００５】
吊床版架設工法では、橋体の施工の進捗につれて一次ケーブルが受ける荷重が増大して一次ケーブルのサグ量が増大する。サグ量が増大すると、シースなどの外套管内での定着体部分以外の一次ケーブルも変位するので、一次ケーブルの保護被膜表面と外套管の橋体側の開口端部の縁とが点接触して一次ケーブルに局部応力が生じ、一次ケーブルの保護被膜表面に損傷が生じたり、一次ケーブル本体に損傷が生じる可能性がある。
【０００６】
このような問題に対処するため、例えば、ディアボロ管、ラッパ管、ベルマウス加工曲げ鋼管のように、橋体側の開口から管軸方向に一定の距離までの範囲の内径を、橋体側の開口に近付くにつれて拡げた形状を有する外套管が採用される場合がある。
【０００７】
しかしながら、鋼管の拡径加工では径を拡大させるにつれて肉厚が小さくなる。このため、橋体の施工に進捗に伴うシース内の一次ケーブルの変位に合わせた拡径部分を有する外套管を鋼管からの拡径加工により得ようとすると、それだけ肉厚の大きい鋼管が必要となり、加工が難しくなるとともに、コストもつりあがる、などの問題があった。
【０００８】
以上のような事情に鑑み、本発明の目的は、橋体の施工に進捗に伴う一次ケーブルのサグ量の増大に対して、一次ケーブルとの接触を回避可能な一次ケーブル挿通空間を高い自由度で得ることのできる一次ケーブル外套管を提供することにある。
【課題を解決するための手段】
【０００９】
上記目的を達成するため、本発明の一形態に係る一次ケーブル外套管は、吊床版架設工法において２つの橋台間に張設される一次ケーブルの一方の端部に設けられたマンションを一方の前記橋台に定着させるために、該一方の橋台に配置され、前記一次ケーブルの前記一方の端部が挿通される一次ケーブル外套管であって、管軸方向に見て矩形の一次ケーブル挿通空間を有し、少なくとも、前記管軸上における所定の位置から前記橋体側の開口までの範囲で、前記一次ケーブル挿通空間の前記管軸から天井面までの高さ寸法が、前記開口に近付くにつれて連続的に大きくなるように形成され、前記一次ケーブル挿通空間を形成する天井面、底面および２つの側壁面が４枚の平鋼板で構成され、前記天井面を形成する平鋼板が前記高さ寸法の連続的な変化に対応して曲げ加工された部分を有するものである。
【発明の効果】
【００１０】
本発明によれば、橋体の施工の進捗に伴う一次ケーブルのサグ量の変化を考慮して、管軸上における所定の位置から橋体側の開口までの範囲の一次ケーブル挿通空間の管軸から天井面までの高さ寸法を決めることによって、橋体の施工に進捗に伴う一次ケーブルのサグ量の増大に対して、一次ケーブルとの接触を回避可能な一次ケーブル挿通空間を高い自由度で得ることができる。
【００１１】
また、本発明の一次ケーブル外套管において、矩形の一次ケーブル挿通空間は平鋼板を用いて、安価な加工方法で精度良く形成することが可能であり、鋼管から加工された外套管に比べコストを引き下げることができる。
【図面の簡単な説明】
【００１２】
【図１】吊床版架設工法による橋梁の施工において一次ケーブル１の張設時点での状態を示す側面図である。
【図２】本発明に係る一実施形態の一次ケーブル外套管１０を用いた一次ケーブル１の定着構造において、一次ケーブル１の端部を一次ケーブル外套管１０内に挿入する前の状態を示す断面図である。
【図３】本発明に係る一実施形態の一次ケーブル外套管１０を用いた一次ケーブル１の定着構造において、一次ケーブル１の張設直後の状態を示す断面図である。
【図４】本発明に係る一実施形態の一次ケーブル外套管１０を、管軸３０方向に対して直交する水平方向から見た側面図ならびに管軸３０方向両側から見た側面図である。
【図５】吊床版架設工法による橋梁の施工において橋体Ｃの完成時点での一次ケーブル１の張設状態を示す側面図である。
【図６】一次ケーブル張設時点と橋体Ｃ完成時点での一次ケーブル外套管１０内での一次ケーブル１のそれぞれの状態を示す断面図である。
【発明を実施するための形態】
【００１３】
以下、図面を参照しながら、本発明に係る一実施形態である一次ケーブル外套管を説明する。
まず、本実施形態の一次ケーブル外套管の用途について説明する。
【００１４】
図１は吊床版架設工法による橋梁の施工において、橋台Ａ、Ｂ間に一次ケーブル１が張設された状態を示す側面図である。
橋台Ａ、Ｂ間には、複数本の一次ケーブル１が張り渡される。これらの一次ケーブル１に下弦材、斜材・鉛直材、上弦材が架設された後、下弦材間および上弦材間に間詰めコンクリートが打設され、さらに橋軸方向両側部のコンクリート打設、路面工などを行って、図５に示すように橋体Ｃが完成する。
【００１５】
図２および図３は、本発明に係る一実施形態の一次ケーブル外套管１０を用いた一次ケーブル１の定着構造を示す断面図である。なお、図２および図３においては、図１の橋台Ｂにおける一次ケーブル１の定着構造を示したが、橋台Ａにおける一次ケーブル１の定着構造も同様である。
【００１６】
鉄筋コンクリート構造である橋台Ｂには、一次ケーブル１を挿通させるための一次ケーブル外套管１０が埋設される。
一次ケーブル１には、例えば、ＰＣ鋼より線１ａの表面に例えば防錆のためにポリエチレン樹脂製の保護被膜１ｂが被覆されたものなどが用いられる。一次ケーブル１の端部には、ＰＣ鋼より線１ａの端部を鋼製の厚肉円筒管（スリーブ）内に挿入して圧着加工することによって得たマンション２が設けられている。マンション２の周面にはネジ山２ａが設けられる。
【００１７】
一次ケーブル１は、橋台Ｂのコンクリートに埋設された一次ケーブル外套管１０の橋体Ｃ側の開口１０ａから挿入され、逆側の開口１０ｂよりマンション２の先端部分が突出するように配置される。一次ケーブル外套管１０の開口１０ｂより突出したマンション２の先端部分にナット２０を螺合して締めることによって一次ケーブル１の端部が橋台Ｂに締結される。
【００１８】
次に、一次ケーブル外套管１０の構成を説明する。
図４は一次ケーブル外套管１０を管軸３０方向に対して直交する水平方向から見た側面図ならびに管軸３０方向両側から見た側面図である。
【００１９】
一次ケーブル外套管１０には、管軸３０方向に見て矩形のケーブル挿通空間１１が設けられている。一次ケーブル外套管１０の管軸３０方向において橋体Ｃ側の開口１０ａを以後「第１の開口１０ａ」と呼び、橋体Ｃ側とは反対側の開口１０ｂを以後「第２の開口１０ｂ」と呼ぶ。
【００２０】
一次ケーブル外套管１０のケーブル挿通空間１１において、管軸３０方向の所定の位置から第１の開口１０ａまでの範囲１２の一次ケーブル挿通空間１１の管軸３０から天井面までの高さ寸法（管軸３０に対して直交する方向の高さ）は、橋体Ｃの施工の進捗に伴う一次ケーブル１のたわみの変位を考慮して、第１の開口１０ａに向かって連続的に大きくなるように設定される。すなわち、一次ケーブル外套管１０におけるケーブル挿通空間１１は、矩形のケーブル挿通空間１１の高さが一定である高さ一定部１４と、第１の開口１０ａに近付くにつれて矩形のケーブル挿通空間１１の高さが連続的に大きくなる高さ変化部１５とで構成される。
【００２１】
一次ケーブル外套管１０は、例えば、厚さが4.5mmから6.0mmの４枚の平鋼板１０１、１０２、１０３、１０４を溶接等により接合するなどして製作される。この場合、４枚の平鋼板１０１、１０２、１０３、１０４の各々が、ケーブル挿通空間１１を形成する天井面、底面および２つの側壁面となるように、各平鋼板１０１、１０２、１０３、１０４が接合される。ここで、ケーブル挿通空間１１の天井面を形成する平鋼板１０１は、平鋼板素材の切断後、高さ変化部１５に対応する部分を曲げ加工することによって得られたものである。ケーブル挿通空間１１の底面および２つの側壁面はいずれも平坦面でよいため、平鋼板１０２、１０３、１０４は平鋼板素材からの切断のみによって得られたものでよい。
【００２２】
なお、一次ケーブル外套管１０におけるケーブル挿通空間１１を形成する天井面を除いた各面と、高さ一定部１４のケーブル挿通空間１１を形成する天井面は管軸３０の方向に対して平行な面となっている。
【００２３】
一次ケーブル外套管１０の第２の端の部分には支圧板１６が設けられている。支圧板１６は、一次ケーブル外套管１０の管軸３０に対して直交する方向に一次ケーブル外套管１０の外周面より突出するように溶接等によりケーブル挿通空間１１を形成する４枚の平鋼板１０１、１０２、１０３、１０４に接合されている。本実施形態では、例えば、厚さが65mm、縦横のサイズが400mmの矩形の支圧板１６が用いられている。支圧板１６には、一次ケーブル外套管１０における第２の開口１０ｂとして円形のマンション挿通孔が設けられている。
【００２４】
支圧板１６の管軸３０方向の両端面１６ａ、１６ｂは管軸３０に対して直交する面となっている。一次ケーブル１の定着状態において、支圧板１６の橋体Ｃ側の端面１６ａが橋台Ｂの端面Ｂ１に当接することによって、一次ケーブル１の一端部が橋台Ｂに支持される。
【００２５】
なお、本実施例において、支圧板１６は、上記のようにあらかじめ溶接等によって一次ケーブル外套管１０に一体化されたものとしたが、一次ケーブル外套管１６の管体部と支圧板１６とを分離した状態で現地に搬入し、一次ケーブル外套管１６の管体部のみを橋台コンクリート中に埋設しておき、一次ケーブル１のマンション２を橋台Ｂにナット２０で締結する際に、支圧板１６を一次ケーブル外套管１６の管体部の開口端面とナット２０との間に挟み込むようにしてもよい。
【００２６】
図５は橋体Ｃの完成時点での一次ケーブル１の張設状態を示す側面図である。ここで、一次ケーブル１は、橋体Ｃの荷重を受けて張設時点よりも大きくたわむ。すなわち、橋体Ｃ完成時点での一次ケーブル１のサグ量は、施工の進捗に伴う橋体Ｃの荷重増大により、図中点線で示される張設直後の一次ケーブル１のサグ量よりも図中実線で示されるように大きくなる。
【００２７】
本実施形態の一次ケーブル外套管１０の高さ変化部１５におけるケーブル挿通空間１１の管軸３０から天井面までの高さ寸法（管軸３０に対して直交する方向の高さ）は、このような橋体Ｃの施工の進捗に伴う一次ケーブル１のサグ増の増大を考慮して、第１の開口１０ａに近付くにつれて高さ寸法が連続的に大きくなるように設定されている。
【００２８】
図６は、一次ケーブル張設直後と橋体Ｃ完成時点での一次ケーブル外套管１０内での一次ケーブル１のそれぞれの状態を示す断面図である。
同図において、点線は張設直後の一次ケーブル１の状態を示し、実線は橋体Ｃ完成時点の一次ケーブル１の状態を示している。
【００２９】
このように、本実施形態の一次ケーブル外套管１０では、高さ変化部１５のケーブル挿通空間１１内で、一次ケーブル１は、サグ増の増大によって高さ変化部１５のケーブル挿通空間１１内で下方に変位するものの、高さ変化部１５におけるケーブル挿通空間１１の管軸３０から天井面までの高さ寸法（管軸３０に対して直交する方向の高さ）は橋体Ｃの施工の進捗に伴う一次ケーブル１のサグ増の増大を考慮して第１の開口１０ａに近付くにつれて高さ寸法が連続的に大きくなるように設定されているので、張設直後の一次ケーブル１が高さ変化部１５のケーブル挿通空間１１の天井面に近い位置を通過するように設定することによって、橋体Ｃの完成時点で一次ケーブル１が高さ変化部１５のケーブル挿通空間１１の底面に到達することはない。
【００３０】
以上のように、本実施形態の一次ケーブル外套管１０を用いることによって、一次ケーブル１の保護被膜１ｂの表面と一次ケーブル外套管１０の内面や第１の開口１０ａの縁との接触を回避することができ、一次ケーブル１本体（ＰＣ鋼より線１ａ）の損傷はもちろん、一次ケーブル１の保護被膜１ｂ表面の損傷を防止することができる。
【００３１】
また、本実施形態の一次ケーブル外套管１０は、平鋼板を用いて製作できるため、高さ変化部１５のケーブル挿通空間１１を高い自由度で容易に形成することができる。このため、橋体Ｃの施工の進捗に伴う一次ケーブル１のサグ量の変化を考慮して、第１の開口１０ａに近付くにつれて高さ寸法が連続的に大きくなるケーブル挿通空間１１を容易に形成することができ、鋼管から加工された外套管に比べコストの低下を図ることができる。
【００３２】
本発明は上記の実施形態に限らず、本発明の技術思想の範囲で様々な変形が可能である。
【符号の説明】
【００３３】
Ａ，Ｂ…橋台
Ｃ…橋体
１…一次ケーブル
１０…一次ケーブル外套管
１０ａ…第１の開口
１１…一次ケーブル挿通空間
３０…管軸
１０１、１０２、１０３、１０４…平鋼板
【図１】
0006586037.tif 000002
【図２】
0006586037.tif 000003
【図３】
0006586037.tif 000004
【図４】
0006586037.tif 000005
【図５】
0006586037.tif 000006
【図６】
0006586037.tif 000007